【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
信号の伝送のためのシステムであって、
ｎ＞ｍ＞１として、第１の信号を伝送することを目的とする少なくともｍ個の伝送チャネルと、ｎ個の伝送アンテナと、制御手段によって選択された切り替えスキーマに従って前記ｎ個の伝送アンテナからの１つの伝送アンテナを各信号伝送チャネルに関連付けるための切り替え手段と、を備える中央端末と、
前記中央端末を介して伝送される第１の信号を受信するために受信アンテナに接続された少なくとも１つの受信チャネルを備える少なくとも１つのクライアント端末であって、前記中央端末および前記クライアント端末は、あらかじめ定められた周波数帯域を有する伝送チャネルで通信することができる、少なくとも１つのクライアント端末と、を含み、
前記伝送アンテナは、指向性アンテナであり、各伝送アンテナは、あらかじめ定められた角度セクタで第１の信号を伝送することができ、
システムはまた、前記クライアント端末に関連付けられているあらかじめ定められた地理的ゾーンの少なくとも１つの地点において、前記中央端末によって伝送された第１の信号の前記受信の品質に関する少なくとも１つの情報の項目を生成することができる推定デバイスと、前記中央端末の前記制御手段に伝送するための帰路チャネルであって、前記制御手段は、前記少なくとも１つの情報の項目に従って切り替えスキーマを選択する、帰路チャネルと、
を含む、前記システム。
【請求項２】
前記推定デバイスは、
前記中央端末の近くにあり、前記クライアント端末に対して選択された前記指向性アンテナのうちの少なくとも１つを介して、前記中央端末と前記クライアント端末との間の前記伝送チャネルのあらかじめ定められた周波数帯域に近い、または、これと同一の周波数帯域で、呼掛け信号と呼ばれる第２の信号を伝送することができる伝送回路と、
前記クライアント端末に関連付けられている地理的ゾーンにおいて、前記ゾーン内の前記呼掛け信号の電力を測定することができる測定回路であって、前記測定は前記ゾーン内の第１の信号の受信の品質を表す、測定回路と、を備える、請求項１に記載のシステム。
【請求項３】
前記測定回路は、ＲＦＩＤリーダに関連付けられている少なくとも１つのＲＦＩＤセンサを備え、
前記少なくとも１つのＲＦＩＤセンサは、前記呼掛け信号を受信し、それを前記ＲＦＩＤセンサの識別子に関連する符号化に従って符号化し、かつ、前記符号化された信号を前記ＲＦＩＤリーダに伝送することができ、
前記ＲＦＩＤリーダは、前記符号化された信号から、前記クライアント端末に関連付けられている地理的ゾーンにおける第１の信号の受信の品質を表す情報の項目を生成することができる、請求項２に記載のシステム。
【請求項４】
前記測定回路は、前記クライアント端末に配置されたＲＦＩＤセンサを含む、請求項３に記載のシステム。
【請求項５】
前記測定回路は、前記クライアント端末に関連付けられているゾーンの複数の固定された地点にわたって分散された複数のＲＦＩＤセンサを含む、請求項３または４に記載のシステム。
【請求項６】
前記ＲＦＩＤリーダは、前記クライアント端末に関連付けられているゾーンの固定された地点に位置する、請求項５に記載のシステム。
【請求項７】
各ＲＦＩＤリーダは、前記ゾーンの前記ＲＦＩＤセンサによって伝送された符号化された信号の受信電力を測定するための手段と、前記受信した信号を復号化し、受信した各信号について前記信号を伝送した前記ＲＦＩＤセンサの識別子を決定し、かつ、受信した符号化された信号ごとに、前記受信電力および前記識別子を含む信号を生成するための処理回路と、を含む、請求項６に記載のシステム。
【請求項８】
前記伝送回路は、特定の時間間隔中に、認識可能に、呼掛け信号を前記ゾーンの前記測定回路に定期的に伝送する、請求項２から７のいずれか一項に記載のシステム。
【請求項９】
各々が地理的ゾーンに関連付けられている複数のクライアント端末を含み、前記測定回路は、各々の前記地理的ゾーンにおいて少なくとも１つのＲＦＩＤセンサおよび関連するＲＦＩＤリーダを含み、前記伝送回路は、特定の時間間隔中に前記地理的ゾーンの各々について、呼掛け信号を前記地理的ゾーンのＲＦＩＤセンサに伝送する、請求項２から８のいずれか一項に記載のシステム。
【請求項１０】
各ＲＦＩＤセンサは、表面弾性波受動センサである、請求項３から９のいずれか一項に記載のシステム。
【請求項１１】
前記呼掛け信号は、パルス列である、請求項２から１０のいずれか一項に記載のシステム。
【請求項１２】
前記制御手段は、前記帰路チャネルを介して伝送された前記少なくとも１つの情報の項目に従って、切り替えマトリクスの複数のあらかじめ定められた切り替えスキーマのなかから、１つの切り替えスキーマを選択する、請求項１から１１のいずれか一項に記載のシステム。
【請求項１３】
前記帰路チャネルは、たとえば「ＺｉｇＢｅｅ」または「Ｚｗａｖｅ」規格に従って動作する無線伝送チャネルである、請求項１から１２のいずれか一項に記載のシステム。
【手続補正２】
【補正対象書類名】明細書
【補正対象項目名】００５９
【補正方法】変更
【補正の内容】
【００５９】
本発明はさまざまな特定の実施形態において説明されてきたが、限定的なものではなく、組み合わせと共に説明された手段の技術的等価物が本発明の範囲に含まれる場合、すべてのそれらの技術的等価物を備えることは明らかである。
（付記１）
信号の伝送のためのシステムであって、
ｎ＞ｍ＞１として、第１の信号（Ｓ１）を伝送することを目的とする少なくともｍ個の伝送チャネル（１１）と、ｎ個の伝送アンテナ（１２）と、制御手段（１４）によって選択された切り替えスキーマに従って前記ｎ個のアンテナからの１つのアンテナを各信号伝送チャネルに関連付けるための切り替え手段（１３）と、を備える中央端末（１）と、
前記中央端末を介して伝送される第１の信号を受信するために受信アンテナに接続された少なくとも１つの受信チャネルを備える少なくとも１つのクライアント端末（２）であって、前記中央端末および前記クライアント端末は、あらかじめ定められた周波数帯域を有する伝送チャネルで通信することができる、少なくとも１つのクライアント端末と、を含み、
前記伝送アンテナ（１２）は、指向性アンテナであり、各伝送アンテナは、あらかじめ定められた角度セクタで第１の信号を伝送することができ、
システムはまた、前記クライアント端末に関連付けられているあらかじめ定められた地理的ゾーン（Ｚ１、Ｚ２）の少なくとも１つの地点において、前記中央端末によって伝送された第１の信号の前記受信品質に関する少なくとも１つの情報の項目を生成することができる推定デバイス（１５、３、４）と、前記中央端末の前記制御手段に伝送するための帰路チャネル（５）であって、前記制御手段は、前記少なくとも１つの情報の項目に従って切り替えスキーマを選択する、帰路チャネルと、
を含む、前記システム。
（付記２）
前記推定デバイスは、
前記中央端末（１）の近くにあり、前記クライアント端末に対して選択された前記指向性アンテナのうちの少なくとも１つを介して、前記中央端末と前記クライアント端末との間の前記伝送チャネルのあらかじめ定められた周波数帯域に近い、または、これと同一の周波数帯域で、呼掛け信号と呼ばれる第２の信号（Ｓ２、Ｓ３）を伝送することができる伝送回路（１５）と、
前記クライアント端末に関連付けられている地理的ゾーンにおいて、前記ゾーン内の前記呼掛け信号の電力を測定することができる測定回路（３、４）であって、前記測定は前記ゾーン内の第１の信号の受信の品質を表す、測定回路と、を備える、付記１に記載のシステム。
（付記３）
前記測定回路は、ＲＦＩＤリーダ（４）に関連付けられている少なくとも１つのＲＦＩＤセンサ（３）を備え、
前記少なくとも１つのＲＦＩＤセンサ（３）は、前記呼掛け信号を受信し、それを前記ＲＦＩＤセンサの識別子に関連する符号化に従って符号化し、かつ、前記符号化された信号を前記ＲＦＩＤリーダに伝送することができ、
前記ＲＦＩＤリーダ（４）は、前記符号化された信号から、前記クライアント端末に関連付けられている地理的ゾーンにおける第１の信号の受信の品質を表す情報の項目を生成することができる、付記２に記載のシステム。
（付記４）
前記測定回路は、前記クライアント端末に配置されたＲＦＩＤセンサ（３）を含む、付記３に記載のシステム。
（付記５）
前記測定回路は、前記クライアント端末に関連付けられているゾーンの複数の固定された地点にわたって分散された複数のＲＦＩＤセンサ（３）を含む、付記３または４に記載のシステム。
（付記６）
前記ＲＦＩＤリーダ（４）は、前記クライアント端末に関連付けられているゾーンの固定された地点に位置する、付記５に記載のシステム。
（付記７）
各ＲＦＩＤリーダ（４）は、前記ゾーンの前記ＲＦＩＤセンサによって伝送された符号化された信号の受信電力を測定するための手段と、前記受信信号を復号化し、受信した各信号について前記信号を伝送した前記センサの識別子を決定し、かつ、受信した符号された信号ごとに、前記受信電力および前記識別子を含む信号を生成するための処理回路と、を含む、付記６に記載のシステム。
（付記８）
前記伝送回路（１５）は、特定の時間間隔中に、認識可能に、呼掛け信号を前記ゾーンの前記測定回路に定期的に伝送する、付記２から７のいずれか一項に記載のシステム。
（付記９）
各々が地理的ゾーン（Ｚ１、Ｚ２）に関連付けられている複数のクライアント端末（２）を含み、前記測定回路は、各々の前記地理的ゾーンにおいて少なくとも１つのＲＦＩＤセンサおよび関連するＲＦＩＤリーダを含み、前記伝送回路（１５）は、特定の時間間隔中に前記地理的ゾーンの各々について、呼掛け信号を前記地理的ゾーンのＲＦＩＤセンサに伝送する、付記２から８のいずれか一項に記載のシステム。
（付記１０）
各ＲＦＩＤセンサ（３）は、表面弾性波受動センサである、付記３から９のいずれか一項に記載のシステム。
（付記１１）
前記呼掛け信号（Ｓ２、Ｓ３）は、パルス列である、付記２から１０のいずれか一項に記載のシステム。
（付記１２）
前記制御手段（１４）は、前記帰路チャネル（５）を介して伝送された前記少なくとも１つの情報の項目に従って、切り替えマトリクスの複数のあらかじめ定められた切り替えスキーマのなかから、１つの切り替えスキーマを選択する、付記１から１１のいずれか一項に記載のシステム。
（付記１３）
前記帰路チャネル（５）は、たとえば「ＺｉｇＢｅｅ」または「Ｚｗａｖｅ」規格に従って動作する無線伝送チャネルである、付記１から１２のいずれか一項に記載のシステム。